(57)【要約】【課題】省スペース化を図り、且つ、取り扱いが容易な間仕切り構造を提供する。【解決手段】配線パネル１０は巻き取り可能であり、電気配線３は巻き取りに障害にならない程度の柔軟性を有して配線パネル１０に組み込まれており、更に巻き取られた配線パネル１０を収納する収納ボックス１１を備えている。【選択図】図１
2005213738.tif 000002
【特許請求の範囲】
【請求項１】
所定の部屋を間仕切りするための構造であって、
巻き取り可能な配線パネルと、
商用電源を供給する配線ダクトに接続されて電源供給を受け、巻き取りに障害にならない程度の柔軟性を有して前記配線パネルに組み込まれた電気配線と、
巻き取られた前記配線パネルを収納する収納ボックスと、
を備えることを特徴とする巻き取り式間仕切り構造。
【請求項２】
請求項１記載の巻き取り式間仕切り構造において、
前記収納ボックスは横置きされており、
前記配線パネルを巻き取り制御することにより、前記配線パネルを昇降させる昇降手段、
を備えることを特徴とする巻き取り式間仕切り構造。
【請求項３】
請求項１記載の巻き取り式間仕切り構造において、
前記収納ボックスは縦置きされており、
前記配線パネルの横方向への移動をガイドするガイド手段、
を備えることを特徴とする巻き取り式間仕切り構造。
【請求項４】
請求項２又は請求項３記載の巻き取り式間仕切り構造において、
前記配線パネルに組み込まれて前記電気配線に接続された照明取付け用ソケットと、
前記配線パネルに組み込まれて前記電気配線に接続された照明用スイッチと、
を更に備えることを特徴とする巻き取り式間仕切り構造。
【請求項５】
請求項１〜請求項４のいずれか一項に記載の巻き取り式間仕切り構造において、
前記配線パネルには、情報信号を伝送する信号線が組み込まれている、
ことを特徴とする巻き取り式間仕切り構造。
【発明の詳細な説明】
【技術分野】
【０００１】
本発明は、所定の部屋を間仕切りするための構造に関し、特に、巻き取り式の間仕切り構造に関する。
【背景技術】
【０００２】
従来の間仕切り構造としては、例えば、下記特許文献１に示されるような、電気配線が組み込まれた配線パネルを用いたものが提案されている。図４は、従来の間仕切り構造を示す図である。
【０００３】
図４に示すように、従来の間仕切り構造に使用される配線パネル９０には、２枚のパネル板部材に挟まれるようにして、電気配線９３や電源コンセント９４が組み込まれている。電気配線９３の一端は、天井に配置された配線ダクト９２に接続されており、ここから電源供給を受けて電源コンセント９４に分配するようになっている。
【０００４】
このような配線パネル９０は、電気配線が施されていない標準パネル９１と適宜組み合わされ、天井と床ＦＬとの間において垂直で同一面上に並べて立て込まれて、例えば、大部屋の間仕切りとして使用される。これと共に、配線パネル９０は、間仕切りされた部屋で使用される各種電気機器に電源供給するという役割も兼ねる。
【０００５】
なお、この出願の発明に関連する先行技術文献情報としては次のものがある。
【特許文献１】特開平９−１２１４２９号公報
【発明の開示】
【発明が解決しようとする課題】
【０００６】
ところが、上述のような従来の間仕切り構造には以下の問題がある。すなわち、配線パネル９０を使用しない場合の保管場所を確保する必要がある。また、間仕切りする度に、配線パネル９０を運搬する必要がある。更に、間仕切りする度に、配線工事が必要となる。すなわち、間仕切りする度に、配線パネル９０の電気配線９３を配線ダクト９２に接続する必要がある。要するに、従来の間仕切り構造は、省スペース化に反し、取り扱いが容易ではない、という問題があった。
【０００７】
よって本発明は、上述した現状に鑑み、省スペース化を図り、且つ、取り扱いが容易な間仕切り構造を提供することを課題としている。
【課題を解決するための手段】
【０００８】
上記課題を解決するためになされた請求項１記載の巻き取り式間仕切り構造は、所定の部屋を間仕切りするための構造であって、巻き取り可能な配線パネルと、商用電源を供給する配線ダクトに接続されて電源供給を受け、巻き取りに障害にならない程度の柔軟性を有して前記配線パネルに組み込まれた電気配線と、巻き取られた前記配線パネルを収納する収納ボックスと、を備えることを特徴とする。
【０００９】
請求項１記載の発明によれば、配線パネルは巻き取り可能であり、電気配線は巻き取りに障害にならない程度の柔軟性を有して配線パネルに組み込まれており、更に巻き取られた配線パネルを収納する収納ボックスを備えているので、配線パネルを巻き取り式にすることができる。
【００１０】
上記課題を解決するためになされた請求項２記載の巻き取り式間仕切り構造は、請求項１記載の巻き取り式間仕切り構造において、前記収納ボックスは横置きされており、前記配線パネルを巻き取り制御することにより、前記配線パネルを昇降させる昇降手段、を備えることを特徴とする。
【００１１】
請求項２記載の発明によれば、収納ボックスは横置きされており、配線パネルが昇降されるので、同一面を構成する壁における種々のパネルの組み合わせが可能になる。
【００１２】
上記課題を解決するためになされた請求項３記載の巻き取り式間仕切り構造は、請求項１記載の巻き取り式間仕切り構造において、前記収納ボックスは縦置きされており、前記配線パネルの横方向への移動をガイドするガイド手段、を備えることを特徴とする。
【００１３】
請求項３記載の発明によれば、収納ボックスは縦置きされており、配線パネルが横方向に移動されるので、パネル移動が比較的楽になる。
【００１４】
上記課題を解決するためになされた請求項４記載の巻き取り式間仕切り構造は、請求項２又は請求項３記載の巻き取り式間仕切り構造において、前記配線パネルに組み込まれて前記電気配線に接続された照明取付け用ソケットと、前記配線パネルに組み込まれて前記電気配線に接続された照明用スイッチと、を更に備えることを特徴とする。
【００１５】
請求項４記載の発明によれば、照明取付け用ソケット及び照明用スイッチも配線パネルに組み込まれているので、壁面への照明器具の設置も容易に行うことができる。
【００１６】
上記課題を解決するためになされた請求項５記載の巻き取り式間仕切り構造は、請求項１〜請求項４のいずれか一項に記載の巻き取り式間仕切り構造において、前記配線パネルには、情報信号を伝送する信号線が組み込まれている、ことを特徴とする。
【００１７】
請求項５記載の発明によれば、配線パネルには信号線が組み込まれているので、パーソナルコンピュータをはじめとするＯＡ機器等も適宜接続可能となる。
【発明の効果】
【００１８】
請求項１記載の発明によれば、配線パネルは巻き取り可能であり、電気配線は巻き取りに障害にならない程度の柔軟性を有して配線パネルに組み込まれており、更に巻き取られた配線パネルを収納する収納ボックスを備えているので、配線パネルを巻き取り式にすることができる。したがって、省スペース化を図り、且つ、取り扱いが容易な配線パネルを提供することができる。
【００１９】
請求項２記載の発明によれば、収納ボックスは横置きされており、配線パネルが昇降されるので、同一面を構成する壁における種々のパネルの組み合わせが可能になる。したがって、ひとつの壁における部位毎にバリエーションをもたせることができるという効果も付加される。
【００２０】
請求項３記載の発明によれば、収納ボックスは縦置きされており、配線パネルが横方向に移動されるので、パネル移動が比較的楽になる。したがって、配線パネルの大型化が可能となるので、パネルの使用枚数を減らすことが可能になり、より取り扱いが容易な配線パネルを提供することができる。また、構成を簡素化できるという効果も付加される。
【００２１】
請求項４記載の発明によれば、照明取付け用ソケット及び照明用スイッチも配線パネルに組み込まれているので、壁面への照明器具の設置も容易に行うことができるという効果も更に付加される。
【００２２】
請求項５記載の発明によれば、配線パネルには信号線が組み込まれているので、パーソナルコンピュータをはじめとするＯＡ機器等も適宜接続可能となる。
【発明を実施するための最良の形態】
【００２３】
以下、本発明の実施の形態を図面に基づいて説明する。
【００２４】
[第１実施形態]
図１は、本発明の巻き取り式間仕切り構造の第１実施形態を示す図である。図１に示すように、第１実施形態の配線パネル１０は、巻き取り可能であり、配線ダクト１２に接続されて電源供給を受け、巻き取りに障害にならない程度の柔軟性を有してこの配線パネル１０に組み込まれた電気配線３と、巻き取られた配線パネル１０を収納する収納ボックス１１と、を備えて基本構成される。第１実施形態では、収納ボックス１１は横置きされており、配線パネル１０は昇降可能である。
【００２５】
詳しくは、配線パネル１０は、例えば、シャッタのように、複数の同形状のバー部材が、巻き取り可能に、略天井の高さに相当する長さぶん、複数連結されて構成される。配線パネル１０は、強度があり軽量のアルミや樹脂製であることが好ましい。この配線パネル１０には、電気配線３が外から見えないように組み込まれている。また、配線パネル１０には、電源コンセント４が外部に露出するようにして組み込まれている。電気配線３の一端は、天井に配置された配線ダクト１２にコネクタ等を介して接続されており、ここから商用電源の供給を受けて電源コンセント４に分配するようになっている。電気配線３は、繰り返される巻き取りに耐えられるように耐久性及び柔軟性のケーブルであることが好ましい。
【００２６】
更に、配線パネル１０は、ロールスクリーンのように使用されるような巻き上げ紐１３を備えており、例えば、巻き上げ紐１３を、図中、細矢印で示す方向に引っ張ると、配線パネル１０が、図中、太矢印で示すように上昇し、逆の操作をすると、配線パネル１０が下降する。但し、配線パネル１０は、車庫のシャッタのように、巻き上げ紐なしのものでもよいし、電動式の巻き上げ式のものであってもよい。これらの機構は、請求項中の昇降手段に対応する。また、配線パネル１０に強度をもたせるために、補強ステー１５が各パネル間に設置されている。この補強ステー１５は取り外し可能である。但し、配線パネル１０にそれほど強度が求められないときには、補強ステー１５は不要となる。
【００２７】
収納ボックス１１は、天井近くに横置きされている。配線パネル１０の巻き取りは、例えば、周知のシャッタ等の巻き取り機構を利用可能である。配線パネル１０の下端が床ＦＬまで完全に引き降ろされると、図中、右側の配線パネル１０のように、部屋を区画する１枚の間仕切りとなる。完全に引き降ろされると、例えば、マジックテープや磁石等の固定部材を用いて固定される。一方、配線パネル１０が完全に巻き取られると、図中、左側の配線パネル１０のように、配線パネル１０は収納ボックス１１に収納されて間仕切りされていた部屋は連通することになる。
【００２８】
このような配線パネル１０は、電気配線が施されていない標準パネル１４と組み合わせて使用してもよい。標準パネル１４は、電気配線が施されていないが、それ以外は標準パネル１４と同等である。標準パネル１４は、配線パネル１０と同等の大きさであることが好ましい。
【００２９】
このような配線パネル１０を用いて部屋を間仕切りするときには、巻き上げ紐１３を操作して、配線パネル１０を床ＦＬまで引き降ろして固定する。また、標準パネル１４も同様に、を床ＦＬまで引き降ろして固定する。この際、必要に応じて、補強ステー１５も設置される。このようにして、例えば、大部屋が小区画の部屋に間仕切りされる。このような間仕切りが完了したときには、必要な電気配線も完了している。そして、必要な電気機器類を電源コンセント４に接続して、間仕切りされた部屋内でこれを使用することができる。
【００３０】
一方、間仕切りされた部屋を元に戻すときには、上記と逆の操作により、配線パネル１０及び標準パネル１４を完全に巻き取らせて、それぞれ収納ボックス１１に収納する。補強ステー１５を設置していれば取り外す。そうすると、間仕切りされていた部屋が連通されて元に戻る。
【００３１】
このように、第１実施形態によれば、配線パネル１０は巻き取り可能であり、電気配線３は巻き取りに障害にならない程度の柔軟性を有して配線パネル１０に組み込まれており、更に巻き取られた配線パネル１０を収納する収納ボックス１１を備えているので、配線パネルを巻き取り式にすることができる。したがって、省スペース化を図り、且つ、取り扱いが容易な配線パネルを提供することができる。特に、第１実施形態によれば、収納ボックス１１は横置きされており、配線パネル１０が昇降されるので、同一面を構成する壁における種々のパネルの組み合わせが可能になる。したがって、ひとつの壁における部位毎にバリエーションをもたせることができるという効果も付加される。
【００３２】
[第２実施形態]
図２は、本発明の巻き取り式間仕切り構造の第２実施形態を示す図である。図２に示すように、第２実施形態の配線パネル２０は、巻き取り可能であり、配線ダクト３２に接続されて電源供給を受け、巻き取りに障害にならない程度の柔軟性を有してこの配線パネル２０に組み込まれた電気配線２３と、巻き取られた配線パネル２０を収納する収納ボックス３１と、を備えて基本構成される。第２実施形態では、収納ボックス３１は縦置きされており、配線パネル２０は横方向に移動可能である。
【００３３】
詳しくは、配線パネル２０は、例えば、シャッタ式カーテンのように、複数の同形状のバー部材が、巻き取り可能に、所定長さだけ、複数連結されて構成される。配線パネル２０は、強度があり軽量のアルミや樹脂製であることが好ましい。この配線パネル２０には、電気配線２３が外から見えないように組み込まれている。また、配線パネル２０には、電源コンセント２４が外部に露出するようにして組み込まれている。電気配線２３の一端は、収納ボックス３１近傍に配置された配線ダクト３２にコネクタ等を介して接続されており、ここから商用電源の供給を受けて電源コンセント２４に分配するようになっている。電気配線２３は、繰り返される巻き取りに耐えられるように耐久性及び柔軟性のケーブルであることが好ましい。
【００３４】
更に、第２実施形態では、配線パネル２０の横方向への移動をガイドするガイドレール３３（請求項中のガイド手段に対応）を備えており、引き手３４を操作することにより、配線パネル２０はカーテンのように横方向に開閉されるようになっている。配線パネル２０も、電動式にしてもよい。また、配線パネル２０に強度をもたせるために、補強ステーを設置してもよい。
【００３５】
収納ボックス３１は、天井と床ＦＬに垂直になりこれに挟まれるように縦置きされている。配線パネル２０の引き手３４が柱３５に接触するまで完全に移動されると、部屋は間仕切りされる。この状態で、例えば、マジックテープや磁石等の固定部材を用いて固定される。一方、配線パネル２０が完全に巻き取られると、配線パネル２０は収納ボックス３１に収納されて間仕切りされていた部屋は連通することになる。
【００３６】
このような配線パネル２０を用いて部屋を間仕切りするときには、引き手３４を操作して、引き手３４が柱３５に接触するまで、配線パネル２０を、図中、太矢印で示す方向に移動させて固定する。このようにして、例えば、大部屋が小区画の部屋に間仕切りされる。このような間仕切りが完了したときには、必要な電気配線も完了している。そして、必要な電気機器類を電源コンセント２４に接続して、間仕切りされた部屋内でこれを使用することができる。
【００３７】
一方、間仕切りされた部屋を元に戻すときには、上記と逆の操作により、配線パネル２０を完全に巻き取らせて、収納ボックス３１に収納する。そうすると、間仕切りされていた部屋が連通されて元に戻る。
【００３８】
このように、第２実施形態によれば、配線パネル２０は巻き取り可能であり、電気配線２３は巻き取りに障害にならない程度の柔軟性を有して配線パネル２０に組み込まれており、更に巻き取られた配線パネル２０を収納する収納ボックス３１を備えているので、配線パネルを巻き取り式にすることができる。したがって、省スペース化を図り、且つ、取り扱いが容易な配線パネルを提供することができる。特に、第２実施形態によれば、収納ボックス３１は縦置きされており、配線パネル２０が横方向に移動されるので、パネル移動が比較的楽になる。したがって、配線パネルの大型化が可能となるので、パネルの使用枚数を減らすことが可能になり、より取り扱いが容易な配線パネルを提供することができる。また、構成を簡素化できるという効果も付加される。
【００３９】
[第３実施形態]
図３は、本発明の巻き取り式間仕切り構造の第３実施形態を示す図である。図３に示すように、第３実施形態の配線パネル３０は、上記図２に示した第２実施形態の配線パネル２０に、照明用スイッチ４１、照明取付け用ソケット４２、電気配線４３を更に組み込んだものである。したがって、図２と共通する部分には、同一の符号を付し、重複する説明は省略する。すなわち、第３実施形態でも、収納ボックス３１は縦置きされており、配線パネル３０は横方向に移動可能である。
【００４０】
第３実施形態において、配線パネル３０に組み込まれている照明用スイッチ４１は、電気配線４３を介して、照明取付け用ソケット４２と接続されている。電気配線４３も、外から見えないように組み込まれており、繰り返される巻き取りに耐えられるように耐久性及び柔軟性のケーブルであることが好ましい。照明取付け用ソケット４２も、配線ダクト３２から商用電源の供給を受けることが可能であるが、照明用スイッチ４１により、オンオフ切替される。照明用スイッチ４１及び照明取付け用ソケット４２は、配線パネル３０から外部に露出するようにして組み込まれている。照明取付け用ソケット４２には、既成の照明器具４４が接続可能となっている。また、配線パネル３０には、照明器具４４を固定するための図示しない固定金具も取り付けられている。そして、固定金具に取り付けられてソケット４２に電気的に接続された照明器具４４のオンオフを、照明用スイッチ４１により切替可能である。
【００４１】
このような配線パネル３０を用いて部屋を間仕切りするときには、上記第２実施形態と同様、引き手３４を操作して、引き手３４が柱３５に接触するまで、配線パネル３０を、図中、太矢印で示す方向に移動させて固定する。このようにして、例えば、大部屋が小区画の部屋に間仕切りされる。このような間仕切りが完了したときには、必要な電気配線も完了している。そして、必要な電気機器類を電源コンセント２４に接続して、間仕切りされた部屋内でこれを使用することができる。更に、照明器具４４を照明取付け用ソケット４２に接続すると共に固定金具で固定して、任意にオンオフ切替することができる。
【００４２】
一方、間仕切りされた部屋を元に戻すときには、照明器具４４を照明取付け用ソケット４２及び固定金具から取り外した後、上記と逆の操作により、配線パネル２０を完全に巻き取らせて、収納ボックス３１に収納する。そうすると、間仕切りされていた部屋が連通されて元に戻る。
【００４３】
このように、第３実施形態によれば、照明取付け用ソケット４２及び照明用スイッチ４１も配線パネル３０に組み込まれているので、壁面への照明器具４４の設置も容易に行うことができるという効果も付加される。
【００４４】
なお、上記実施形態では、電源線を組み込んだパネルを例示しているが、電話回線やＬＡＮ回線等の信号線を組み込んだパネルとしていもよい。また、第３実施形態の照明取付け用ソケット及び照明用スイッチ等を第１実施形態の配線パネルに組み込むようにしてもよい。本発明は、その主旨の範囲で小変更されたものも含むものである。
【図面の簡単な説明】
【００４５】
【図１】本発明の巻き取り式間仕切り構造の第１実施形態を示す図である。
【図２】本発明の巻き取り式間仕切り構造の第２実施形態を示す図である。
【図３】本発明の巻き取り式間仕切り構造の第３実施形態を示す図である。
【図４】従来の巻き取り式間仕切り構造を示す図である。
【符号の説明】
【００４６】
３、２３、４３  電気配線
４、２４  電源コンセント
１０、２０、３０  配線パネル
１１、３１  収納ボックス
４１  照明用スイッチ
４２  照明取付け用ソケット
【図１】
2005213738.tif 000003
【図２】
2005213738.tif 000004
【図３】
2005213738.tif 000005
【図４】
2005213738.tif 000006